(57)【要約】【課題】溶接することなくピンチを本体部に対して位置決め固定することができる洗濯ハンガーを提供することを目的とする。【解決手段】本体部１に対してピンチ３を位置決め固定するピンチ吊下部２が、金属線材がコイル状に巻回形成され前記辺部１ａが貫挿される環状部２ａと該環状部２ａに連設された一対の摘み部２ｂとから成り、常態において環状部２ａが辺部１ａに圧接して位置決め固定され、一対の摘み部２ｂを近接させた場合において環状部２ａが拡径して辺部１ａへの圧接が解除され移動可能となるように構成される洗濯ハンガー。【選択図】図２
0003214331.tif 000002
【実用新案登録請求の範囲】
【請求項１】
金属線材により形成された本体部と、この本体部に移動自在に係止され金属線材により形成されたピンチ吊下部と、このピンチ吊下部に吊下され金属線材により形成されたピンチとで構成される洗濯ハンガーであって、前記本体部は、前記ピンチ吊下部に貫挿され該ピンチ吊下部が移動自在に係止可能な辺部を具備するものであり、前記ピンチ吊下部は、金属線材がコイル状に巻回形成され前記辺部が貫挿される環状部と該環状部に連設された一対の摘み部とから成り、前記ピンチは、一対の摘み部と該摘み部に連設される挟持部とから成り、前記ピンチ吊下部は、常態において前記環状部が前記辺部に圧接して位置決め固定され、前記一対の摘み部を近接させた場合において前記環状部が拡径して前記辺部への圧接が解除され移動可能となるように構成され、前記ピンチは、常態において前記挟持部に生じる閉じ付勢により被挟持物を挟持し、前記一対の摘み部を前記閉じ付勢に抗して近接させた場合において前記挟持部は開動し前記被挟持物に対する挟持作用が解除されるように構成されていることを特徴とする洗濯ハンガー。
【請求項２】
請求項１記載の洗濯ハンガーにおいて、前記ピンチ吊下部は、一本の金属線材により一体形成され、一対の前記環状部が直線状に配置されていることを特徴とする洗濯ハンガー。
【請求項３】
請求項２記載の洗濯ハンガーにおいて、前記環状部は、金属線材がコイル状に少なくとも二巻き以上巻回されており、この両環状部の最内側端部から延設された内側延設部同士は連結部により連設されて一方の摘み部が形成され、この両環状部の最外側端部から延設された外側延設部同士は連結部により連設されて他方の摘み部が形成されていることを特徴とする洗濯ハンガー。
【考案の詳細な説明】
【技術分野】
【０００１】
本考案は、複数のピンチを具備する金属線材製の洗濯ハンガーに関するものである。
【背景技術】
【０００２】
従来、洗濯ハンガーとして、特許文献１に示すような本体枠とピンチ（洗濯ばさみ）と吊手が全て金属線材により形成されているものがある。
【０００３】
このような金属線材製の洗濯ハンガーは、合成樹脂製の洗濯ハンガーのように紫外線などによる経時劣化が殆どなく優れた耐久性を有し、さらにメタリック調の質感や金属線材で形成されるデザイン感が良いことから、近年、市場に占める割合が増えつつある。
【０００４】
また、金属線材製の洗濯ハンガーは、前述のとおり本体枠とピンチと吊手を同じ材料で作製することができることから、メーカーも材料管理が容易であったり、また、各構成部品を全て自社作製することができることから一貫生産が可能であるなどの利点もある。
【０００５】
ところで、従来、合成樹脂製、金属製のいずれの洗濯ハンガーも、その多くのものはピンチが本体枠に対して位置決め固定されている構成となっている。
【０００６】
すなわち、ピンチが位置決めされずに自在に動いてしまう構成では、例えば屋外で使用した場合、洗濯物が風に吹かれることでピンチが移動し洗濯物同士が重なってしまい乾きにくくなってしまう懸念があり、よって、従来から洗濯ハンガーの多くはピンチが一定間隔をおいて整列状態に配置固定され、風に吹かれてもピンチが移動せず洗濯物が重なることなく間隔を保って効率的に乾かすことができるように構成されている。
【０００７】
このピンチを本体枠に位置決めする構造、すなわちピンチを本体枠に位置決め固定する位置決め部に関し、合成樹脂製の洗濯ハンガーの場合は、例えば、金型を用いて本体枠形成時に位置決め部を本体枠と一体成形することで容易に位置決め部を本体枠に設けることができるが、金属製、特に金属線材で形成される洗濯ハンガーの場合は、合成樹脂製のように一体成形することはできず、従来は、特許文献１に示されるように、溶接により位置決め部（特許文献１ではピンチ吊下部材移動規制部材）を本体枠に取り付けているものが殆どである。しかしながら、この溶接作業は、吊り下げるピンチの数が多くなるほど溶接箇所が増えるため、負荷が大きく、生産性を低下させる大きな要因となっている。
【先行技術文献】
【特許文献】
【０００８】
【特許文献１】特開２００７−１１７６４０号公報
【考案の概要】
【考案が解決しようとする課題】
【０００９】
本考案は、上述のような現状に鑑みなされたもので、溶接することなくピンチを本体部に対して強固に位置決め固定することができる洗濯ハンガーを提供することを目的とする。
【課題を解決するための手段】
【００１０】
添付図面を参照して本考案の要旨を説明する。
【００１１】
金属線材により形成された本体部１と、この本体部１に移動自在に係止され金属線材により形成されたピンチ吊下部２と、このピンチ吊下部２に吊下され金属線材により形成されたピンチ３とで構成される洗濯ハンガーであって、前記本体部１は、前記ピンチ吊下部２に貫挿され該ピンチ吊下部２が移動自在に係止可能な辺部１ａを具備するものであり、前記ピンチ吊下部２は、金属線材がコイル状に巻回形成され前記辺部１ａが貫挿される環状部２ａと該環状部２ａに連設された一対の摘み部２ｂとから成り、前記ピンチ３は、一対の摘み部３ａと該摘み部３ａに連設される挟持部３ｂとから成り、前記ピンチ吊下部２は、常態において前記環状部２ａが前記辺部１ａに圧接して位置決め固定され、前記一対の摘み部２ｂを近接させた場合において前記環状部２ａが拡径して前記辺部１ａへの圧接が解除され移動可能となるように構成され、前記ピンチ３は、常態において前記挟持部３ｂに生じる閉じ付勢により被挟持物を挟持し、前記一対の摘み部３ａを前記閉じ付勢に抗して近接させた場合において前記挟持部３ｂは開動し前記被挟持物に対する挟持作用が解除されるように構成されていることを特徴とする洗濯ハンガーに係るものである。
【００１２】
また、請求項１記載の洗濯ハンガーにおいて、前記ピンチ吊下部２は、一本の金属線材により一体形成され、一対の前記環状部２ａが直線状に配置されていることを特徴とする洗濯ハンガーに係るものである。
【００１３】
また、請求項２記載の洗濯ハンガーにおいて、前記環状部２ａは、金属線材がコイル状に少なくとも二巻き以上巻回されており、この両環状部２ａの最内側端部から延設された内側延設部２ｃ同士は連結部２ｅにより連設されて一方の摘み部２ｂが形成され、この両環状部２ａの最外側端部から延設された外側延設部２ｄ同士は連結部２ｅにより連設されて他方の摘み部２ｂが形成されていることを特徴とする洗濯ハンガーに係るものである。
【考案の効果】
【００１４】
本考案は上述のように構成したから、溶接することなくピンチを本体部に対して位置決め固定することができ、これにより、溶接作業に掛かる手間が軽減されて生産性が向上する画期的な洗濯ハンガーとなる。
【図面の簡単な説明】
【００１５】
【図１】実施例１を示す説明斜視図である。
【図２】実施例１におけるピンチの位置決め固定状態を示す斜視図である。
【図３】実施例１のピンチ吊下部を示す斜視図（ａ）及び正面図（ｂ）である。
【図４】実施例１におけるピンチの位置決め固定状態を示す説明側面図である。
【図５】実施例１におけるピンチの位置決め固定状態を解除した状態を示す説明側面図である。
【図６】実施例１におけるピンチ吊下部の要部説明図であり、（ａ）は常態におけるピンチ吊下部の環状部を示すものであり、（ｂ）はピンチ吊下部の環状部が拡径した状態を示すものである。
【図７】実施例１の使用状態を示す説明斜視図である。
【図８】実施例２を示す説明斜視図である。
【考案を実施するための形態】
【００１６】
好適と考える本考案の実施形態を、図面に基づいて本考案の作用を示して簡単に説明する。
【００１７】
ピンチ３が吊下されたピンチ吊下部２の一対の摘み部２ｂを摘み操作により近接させ、この摘み部２ｂに連設される環状部２ａを、本体部１の辺部１ａの径よりも拡径させ、このピンチ吊下部２を本体部１の辺部１ａの所定位置に配置させ、前記摘み操作を解除すると、環状部２ａが縮径して辺部１ａに圧接し、この環状部２ａが本体部１の辺部１ａに圧接することで、このピンチ吊下部２は、本体部１に対して強固に位置決め固定される。
【００１８】
このように、本考案は、溶接することなく本体部１に対してピンチ３を位置決め固定することができるから、製作時における厄介な溶接作業を低減することができ、生産性に優れた洗濯ハンガーとなる。
【００１９】
しかも、本考案は、前述のように摘み部２ｂを摘み操作して環状部２ａを拡径させることでピンチ吊下部２を移動させることができるから、洗濯物の大きさや形状に合わせてピンチ３の配置を自由に変更することができ、洗濯物同士が接近状態とならず、また、不使用のピンチに干渉しないようにピンチを適正位置に配置して洗濯物を干すことができるから、洗濯物を効率よく乾かすことができる実用性に優れた洗濯ハンガーとなる。
【実施例１】
【００２０】
本考案の具体的な実施例１について図１〜７に基づいて説明する。
【００２１】
本実施例は、金属線材（本実施例ではステンレス鋼線を採用）により形成された本体部１と、この本体部１に移動自在に係止され金属線材により形成されたピンチ吊下部２と、このピンチ吊下部２に吊下され金属線材により形成されたピンチ３とで構成される金属線材製の洗濯ハンガー（いわゆるワイヤーピンチハンガー）である。
【００２２】
以下、本実施例に係る構成各部について詳述する。
【００２３】
本実施例の本体部１は、ピンチ吊下部２に貫挿され該ピンチ吊下部２が移動自在に係止可能な辺部１ａを具備するものであり、具体的には、図示するように、一本の金属線材が方形状に屈曲形成され四辺の辺部１ａを有する枠体部１ｂと、この枠体部１ｂの長辺部間に間隔をおいて並設状態で架設される複数の辺部１ａとから成る構成とされ、吊設具４を介して物干竿５に吊下される構成とされている。
【００２４】
より具体的には、本体部１は、各コーナー部に吊設具連結部１ｃが設けられていて、この吊設具連結部１ｃに連結される吊設具４を介して物干竿５に吊下される構成とされている。
【００２５】
尚、本体部１における枠体部１ｂの形状は、前述した方形状に限定されるものではなく円形、楕円形など適宜の形状に変更可能であり、また、枠体部１ｂに架設される辺部１ａの架設方向は短辺部間でも良い。またさらに、架設辺部１ａを設けない構成（枠体部１ｂのみの構成）でも良い。
【００２６】
また、この本体部１を吊設するため吊設具４は、本体部１と同様、金属線材により形成されている。
【００２７】
具体的には、本実施例の吊設具４は、物干竿５に掛着する鉤状部４ａと、この鉤状部４ａと本体部１とを連結する複数の連結ワイヤ部４ｂから成る構成とされていて、より具体的には、本実施例の吊設具４は、四本の連結ワイヤ部４ｂを具備し、各連結ワイヤ部４ｂは、本体部１の各コーナー部に設けられた吊設具連結部１ｃに一端部が連結され、他端部が本体部１の中央部に配された鉤状部４ａに連結される構成とされている。
【００２８】
尚、本実施例は、一体の吊設具４で本体部１を吊下する構成とされているが、二体の吊設具４を用い、本体部１の長手方向両側に夫々吊設具４（鉤状部４ａ）を設けて、この二体の吊設具４（鉤状部４ａ）で本体部１を吊下する構成としても良い。
【００２９】
また、本実施例のピンチ吊下部２は、ばね性を有する金属線材がコイル状に巻回形成され本体部１（辺部１ａ）が貫挿される環状部２ａと該環状部２ａに連設された一対の摘み部２ｂとから成り、常態において環状部２ａが本体部１（辺部１ａ）に圧接して位置決め固定され、一対の摘み部２ｂを近接させた場合において環状部２ａが拡径して本体部１（辺部１ａ）に対する圧接が解除され、この本体部１（辺部１ａ）に沿って移動可能となるように構成される構成とされている。
【００３０】
具体的には、本実施例のピンチ吊下部２は、図示するように、一本の金属線材により一体形成され、この一本の金属線材で一対の環状部２ａ（二体の環状部２ａ）が直線状に配置されるように形成される構成とされている。
【００３１】
より具体的には、本実施例のピンチ吊下部２は、前述した一対の環状部２ａが夫々、金属線材がコイル状に少なくとも二巻き以上巻回されて成る構成とされ、この両環状部２ａの各最内側端部から夫々延設された内側延設部２ｃ同士が横杆状の連結部２ｅにより連設されて一方の摘み部２ｂが形成され、また、この両環状部２ａの各最外側端部から夫々延設された外側延設部２ｄ同士が同様の横杆状の連結部２ｅにより連設されて他方の摘み部２ｂが形成される構成とされている。
【００３２】
言い換えると、本実施例のピンチ吊下部２は、各環状部２ａの最内側端部から延設された内側延設部２ｃと最外側端部から延設された外側延設部２ｄとが交差状するようにして下方に向けて延設され、この一方の環状部２ａの内側延設部２ｃの先端部と他方の環状部２ａの内側延設部２ｃの先端部との間に連結部２ｅが架設され上方開口のコ字形の摘み部２ｂが形成され、この一方の環状部２ａ外側延設部２ｄの先端部と他方の環状部２ａの外側延設部２ｄの先端部との間に連結部２ｅが架設され上方開口のコ字形の摘み部２ｂが形成される構成とされている。
【００３３】
より詳細に説明すると、各環状部２ａは、内径が本体部１の辺部１ａの外径（直径）よりもやや小径となる二巻きコイル状（二重コイルばね）に形成され、さらに巻回一端部と巻回他端部が交差状に配置される構成、言い換えると、巻回一端部と巻回他端部の位置に位相差が設けられている構成とされ、この巻回一端部と巻回他端部に摘み部２ｂを形成する内側延設部２ｃ及び外側延設部２ｄが連設される構成とされている。
【００３４】
すなわち、本実施例は、この環状部２ａを二巻きコイル状（二重コイルばね）にすることで、各コイルが夫々、本体部１（枠体部１ｂ）に対して強固に圧接するダブルロック機能を発揮する構成とされている。
【００３５】
なお、本実施例の摘み部２ｂは、環状部２ａを拡径操作する摘み部２ｂを縦長の上方開港のコ字形に形成し、操作し易く、且つ、てこの原理の作用により容易に環状部２ａを拡径されることができる形状とした構成とされるが、摘み部２ｂの形状は前記に限定されるものではなく適宜変更可能なものとする。
【００３６】
また、本実施例のピンチ３は、一対の摘み部３ａと該摘み部３ａに連設される挟持部３ｂとから成り、常態において挟持部３ｂに生じる閉じ付勢により被挟持物を挟持し、一対の摘み部３ａを閉じ付勢に抗して近接させた場合において挟持部３ｂが開動し被挟持物に対する挟持作用が解除される構成とされている。
【００３７】
具体的には、本実施例のピンチ３は、ばね性を有する一本の金属線材により一体形成されていて、摘み部３ａと挟持部３ｂとの間にコイルばね３ｃが設けられ、常態においてはこのコイルばね３ｃのばね付勢により挟持部３ｂの先端部同士が圧接する閉じ状態にあり、このばね付勢に抗して摘み部３ａ同士を近接させる摘み操作により、摘み部３ａが拡開動作し先端部が離間し、この挟持部３ｂ間に洗濯物などを挿入することができ、この挟持部３ｂに洗濯物を挿入配設した後、摘み部３ａの摘み操作を解除することで、コイルばね３ｃのばね付勢により挟持部３ｂが閉動して洗濯物を強固に挟持するように構成されている。
【００３８】
また、本実施例のピンチ３は、図示するように、連結環６を介してピンチ吊下部２に着脱自在に吊下する構成とされ、この連結環６を介在させることでピンチ吊下部２に対する動作性（移動性）が向上し、洗濯物を干す際の挟持作業がし易くなるように構成されている。
【００３９】
このように、本実施例は、ピンチ３を本体部１に対して位置決め固定するピンチ吊下部２が、このピンチ吊下部２の環状部２ａのばね付勢による圧接係止（ダブルロック機能）によって本体部１の辺部１ａに位置決め固定されるから、このピンチ吊下部２を本体部１に溶接することなく強固に位置決め固定することができ、これにより、作製時における面倒な溶接作業工数が低減され、生産性に優れた洗濯ハンガーとなる。
【００４０】
しかも、本実施例は、ピンチ吊下部２の摘み部２ｂを摘み操作して環状部２ａを拡径させることでこのピンチ吊下部２を本体部１の辺部１ａに沿って移動させることができるから、洗濯物の大きさや形状に合わせてピンチ３の配置を自由に変更することができ、洗濯物同士が接近状態にならず、また、不使用のピンチに干渉しないようにピンチ３を適正位置に配置して洗濯物を干すことができる実用性に優れた洗濯ハンガーとなる。
【実施例２】
【００４１】
本考案の具体的な実施例２について図８に基づいて説明する。
【００４２】
本実施例は、実施例１において、本体部１を別タイプに構成した場合である。
【００４３】
具体的には、本実施例の本体部１は、図示するように、一本の金属線材で形成される横長棒状体からなり、両端部に吊設具４を連結する吊設具連結部１ｃが一体形成される構成とされ、各吊設具連結部１ｃに鉤状に形成された吊設具４が連結されて、物干竿に沿って吊下される構成とされている。
【００４４】
その余の構成は、実施例１と同様である。
【００４５】
尚、本考案は、実施例１，２に限られるものではなく、各構成要件の具体的構成は適宜設計し得るものである。
【符号の説明】
【００４６】
１  本体部
１ａ  辺部
２  ピンチ吊下部
２ａ  環状部
２ｂ  摘み部
２ｃ  内側延設部
２ｄ  外側延設部
２ｅ  連結部
３  ピンチ
３ａ  摘み部
３ｂ  挟持部
【図１】
0003214331.tif 000003
【図２】
0003214331.tif 000004
【図３】
0003214331.tif 000005
【図４】
0003214331.tif 000006
【図５】
0003214331.tif 000007
【図６】
0003214331.tif 000008
【図７】
0003214331.tif 000009
【図８】
0003214331.tif 000010